(57)【要約】【課題】内部に充填した蓄熱材の外部への漏れ出しの発生がなく、長期の使用が可能になる温熱治療具を提供する。【解決手段】二枚のシート２、２間に熱可塑性の合成樹脂シート３を挟んで重ね合わせ、前記二枚のシート２、２の少なくとも一方シート２の外面にメッシュ地４を重ね、これらの重なり部分を熱溶着による合成樹脂シート３とメッシュ地４の溶融によって接着し、前記二枚のシート２、２間で合成樹脂シート３の溶融による接着によって区切られた蓄熱材収納部分５に蓄熱材６が充填してある。【選択図】図１
2007296172.tif 000002
【特許請求の範囲】
【請求項１】
二枚のシート間に熱可塑性の合成樹脂シートを挟んで重ね合わせ、前記二枚のシートの周縁部と中間部を加熱による合成樹脂シートの溶融によって接着し、この二枚のシート間で合成樹脂シートの溶融による接着によって区切られた部分に蓄熱材を充填した温熱治療具。
【請求項２】
二枚のシート間に熱可塑性の合成樹脂シートを挟んで重ね合わせ、前記二枚のシートの周縁部と中間部を加熱による合成樹脂シートの溶融によって接着し、前記二枚のシートの少なくとも一方シートの外面にメッシュ地を熱溶着による取付けによって重なり状に設け、前記二枚のシート間で合成樹脂シートの溶融による接着によって区切られた部分に蓄熱材を充填した温熱治療具。
【請求項３】
上記合成樹脂シートは、二枚のシート間の接着によって区切られた各蓄熱材収納部分に該当する位置に窓孔が設けられている請求項１又は２に記載の温熱治療具。
【発明の詳細な説明】
【技術分野】
【０００１】
この発明は、人体の適用部位に対して温熱療法等を施すために用いる温熱治療具に関する。
【背景技術】
【０００２】
例えば、腰痛、肩こり、筋肉痛、手足の冷え、神経痛、リュウマチ等の整形外科領域における疾患は、主に血行不良に起因するものであり、このような疾病の治療として温熱治療が広く採用されている。
【０００３】
上記のような温熱療法を効果的に行うことができるように、蓄熱材を使用した温熱治療具が用いられている。
【０００４】
従来の温熱治療具は、帆布を用いた二枚のシート状布帛を重ね合わせ、前記二枚のシート状布帛の周縁部と中間部をミシンによる縫い糸で縫着し、前記二枚のシート状布帛間で縫い糸によって区切られた部分に蓄熱材を充填した構造になっている。
【０００５】
このような温熱治療具は、人体の使用する部位に対応する形状と大きさに縫製され、温熱治療に使用するには、先ず、温熱治療具の全体を温湯に浸漬することによって蓄熱材を加温し、次に、温熱治療具を温湯から取り出して外面の水分を拭き取り、この温熱治療具を人体の患部に重ねたり巻き付けるようにして取付け、蓄熱材の放熱によって患部を加温するものである。
【発明の開示】
【発明が解決しようとする課題】
【０００６】
ところで、上記従来の温熱治療具は、二枚のシート状布帛に織目が細かくて強度のある帆布を用いているため、シート状布帛の織目から粉粒状の蓄熱材が外部にこぼれ出ることはないが、ミシンによる縫い糸で縫製されているため、縫い糸の貫通部分に内部と通じる隙間が発生し、この隙間から粉粒状の蓄熱材が外部に漏れだすことになり、使用の頻度と比例して蓄熱材の量が減少するという問題がある。
【０００７】
そこで、この発明の課題は、内部に充填した蓄熱材の外部への漏れ出しの発生がなく、長期の使用が可能になる温熱治療具を提供することにある。
【課題を解決するための手段】
【０００８】
上記のような課題を解決するため、請求項１の発明は、二枚のシートに熱可塑性の合成樹脂シートを挟んで重ね合わせ、前記二枚のシートの周縁部と中間部を加熱による合成樹脂シートの溶融によって接着し、この二枚のシート間で合成樹脂シートの溶融による接着によって区切られた部分に蓄熱材を充填した構成を採用したものである。
【０００９】
また、請求項２の発明は、二枚のシート間に熱可塑性の合成樹脂シートを挟んで重ね合わせ、前記二枚のシートの周縁部と中間部を加熱による合成樹脂シートの溶融によって接着し、前記二枚のシートの少なくとも一方シートの外面にメッシュ地を熱溶着による取付けによって重なり状に設け、前記二枚のシート間で合成樹脂シートの溶融による接着によって区切られた部分に蓄熱材を充填した構成を採用したものである。
【００１０】
また、請求項３の発明は、請求項１又は２の発明において、上記合成樹脂シートは、二枚のシート間の接着によって区切られた各蓄熱材収納部分に該当する位置に窓孔が設けられている構成を採用したものである。
【００１１】
ここで、二枚のシートは、織目が細かくて強度のある帆布等のようなシート状布帛を用い、人体の装着する患部に対応する大きさと形状に裁断され、また、合成樹脂シート及びメッシュ地も同様の大きさと形状に裁断され、これらを重ね合わせて周縁部と中間部を加熱と加圧によるウエルダー加工で熱溶着することにより、二枚のシート状布帛間に、線状の溶着部で区切られた複数の蓄熱材収納部分を形成し、この各収納部分に、ベントナイトやトルマリン、砂等の蓄熱材が充填されている。
【００１２】
上記メッシュ地は、ポリエチレンのような吸水性のない材料を用いて形成され、シート状布帛の外面を覆うことで、水分を吸収したシート状布帛が直接肌に当たるのを防ぎ、使用時に人体との間に空気層を確保することで保温性を向上させると共に、温熱治療具の耐摩耗性を向上させることができる。
【発明の効果】
【００１３】
この発明によると、樹脂シートを挟んで重ね合わせた二枚のシートの周縁部と中間部を加熱による合成樹脂シートの溶融によって接着し、この二枚のシート間で合成樹脂シートの溶融による接着によって区切られた収納部分に蓄熱材を充填したので、収納部分を確実に閉鎖することで、従来の縫製による縫い糸貫通部分の隙間のような、収納部分内と外部を連通させるような部分の発生がなく、これによって、収納した蓄熱材の外部への漏れの発生をなくし、蓄熱材の減少を防ぐことで長期にわたる使用が可能になる。
【００１４】
また、二枚のシートの少なくとも一方シートの外面にメッシュ地を熱溶着による取付けによって重なり状に設けたので、メッシュ地でシートの外面を覆うことで、水分を吸収したシートが直接肌に当たるのを防ぎ、使用時に人体との間に空気層を確保することで保温性を向上させると共に、温熱治療具の耐摩耗性を向上させることができる。
【００１５】
更に、合成樹脂シートの各蓄熱材収納部分に該当する位置に窓孔を設けたので、蓄熱材収納部分内での蓄熱材の移動を許容することができ、蓄熱材が固化しないようにできるだけでなく、蓄熱材がもつ遠赤外線のような薬効効果を遮断せずに身体患部に作用させることができる。
【発明を実施するための最良の形態】
【００１６】
以下、この発明の実施の形態を添付図面に基づいて説明する。
【００１７】
図示のように、温熱治療具１は、シート状布帛を用いた二枚のシート２、２と、二枚のシート２、２間に介在させる熱可塑性の合成樹脂シート３と、二枚のシート２、２の何れか一方又は両方の外面に重ねるメッシュ地４とを用い、前記二枚のシート２、２とその間に熱可塑性の合成樹脂シート３と、二枚のシート２、２の外面にメッシュ地４を重ね合わせ、これら重なり合う部材の周縁部と中間部を加熱による合成樹脂シート３及びメッシュ地４の溶融によって互いに接着し、前記二枚のシート２、２間に合成樹脂シート３の溶融による接着ａによって区切られた複数の蓄熱材収納部分５を形成し、この蓄熱材収納部分５に蓄熱材６が充填されている。
【００１８】
上記二枚のシート２、２は、織目が細かくて強度のある帆布のような綿繊維や合成繊維、綿とポリエステルの混紡繊維が用いられている。
【００１９】
上記温熱治療具１は、図示の場合、矩形状に形成したものを示したが、例えば、上縁部に弧状の抉り部分を設けて背中や胸部に使用するものや、足や腕に巻着する横長のバンド状に形成したもの等、人体の装着する患部に対応する大きさと形状に形成することができ、また、周辺の必要な部分に紐の接続環を設けるようにしてもよい。
【００２０】
上記合成樹脂シート３は、塩化ビニル、ポリエステル等の熱可塑性材料を用い、図示の場合、二枚のシート２、２間の接着ａによって区切られた各蓄熱材収納部分５に該当する位置に窓孔７が設けられているものを用いたが、合成樹脂シート３は、ウエルダー加工による熱溶着部分の幅に対応する幅の帯状体で全体を格子状にしたものを採用するようにしてもよい。
【００２１】
上記メッシュ地４は、ポリエステル、ポリ塩化ビニルのような吸水性のない材料を用いて形成され、シート２の外面を覆うことで、水分を吸収したシート２が直接肌に当たるのを防ぎ、使用時にシート２と人体との間に空気層を確保することで保温性を向上させると共に、温熱治療具１の耐摩耗性を向上させるものである。
【００２２】
また、蓄熱材６としては、ベントナイトやトルマリン、砂、ジェル、ゲル等を例示することができ、温熱治療具１の製造工程途中で各蓄熱材収納部分５が一部開口状となるように溶着し、各蓄熱材収納部分５に開口部分から蓄熱材６を充填した後、各蓄熱材収納部分５の開口を閉じる溶着工程を施すことにより、各蓄熱材収納部分５に蓄熱材６を封入することができる。
【００２３】
この発明の温熱治療具は、上記のような構成であり、温熱治療に使用するには、先ず、温熱治療具１の全体を温湯に浸漬することによって蓄熱材６を加温し、次に、温熱治療具１を温湯から取り出して外面の水分を拭き取り、この温熱治療具１を人体の患部に重ねたり巻き付けるようにして取付け、蓄熱材６の放熱によって患部を加温するものである。
【００２４】
上記温熱治療具１は、少なくとも人体への重ね面や巻きつけ面が吸水性のないメッシュ地４で覆われているので、水分を吸収したシート２が直接肌に当たるのを防ぎ、使用時にシート２と人体との間に空気層を確保することで保温性を向上させると共に、メッシュ地４は温熱治療具１の耐摩耗性を向上させるものである。
【００２５】
また、温熱治療具１は、合成樹脂シート３の各蓄熱材収納部分に該当する位置に窓孔７を設けることにより、蓄熱材収納部分５内での蓄熱材６の移動が可能となり、蓄熱材６が固化しないようにできるだけでなく、蓄熱材６がもつ遠赤外線のような薬効効果を遮断せずに身体患部に作用させることができる。
【００２６】
なお、温熱治療具１は、その使用時にビニル袋に入れたりタオルで覆って使うようにしてもよく、また、蓄熱材６の材質を選ぶことにより、電子レンジで加温するようにすることもでき、更に、蓄熱材６を重量物とすることにより、温熱治療具１と全く同一構造でリハビリのウエイトとしても使用することができる。
【図面の簡単な説明】
【００２７】
【図１】（ａ）はこの発明に係る温熱治療具の斜視図、（ｂ）は同じく構成部材を順番に切り欠いた平面図
【図２】温熱治療具の分解斜視図
【図３】（ａ）は図１（ｂ）の矢印ａ−ａに沿う拡大した縦断正面図、（ｂ）は図１（ｂ）の矢印ｂ−ｂに沿う拡大した縦断側面図
【符号の説明】
【００２８】
１        温熱治療具
２        シート
３        合成樹脂シート
４        メッシュ地
５        蓄熱材収納部分
６        蓄熱材
７        窓孔
【図１】
2007296172.tif 000003
【図２】
2007296172.tif 000004
【図３】
2007296172.tif 000005